(57)【要約】【課題】  スマートアンテナを用いて複数種類の放送を受信でき、かつ高速でオートスキャンできる放送受信装置およびそれを備えたテレビを提供する。【解決手段】  制御部１０は、デジタルテレビ放送のチャンネルを順次選択し、かつそれぞれのチャンネルに対してスマートアンテナ３０の受信方向を順次選択する。制御部１０は、デジタルデコーダ１８の演算した受信データ誤り率に基づいて受信可否を判断し、受信可能なチャンネルおよび受信方向番号を格納する。制御部１０は、アナログテレビ放送のチャンネルを順次選択し、かつそれぞれのチャンネルに対して格納した受信方向番号の中から受信方向を順次選択して、受信可能なチャンネルを検索する。【選択図】        図１
2006042181.tif 000002
【特許請求の範囲】
【請求項１】
指向性を切換えることにより放送信号の受信可能方向を変更できる受信アンテナに対して、選択した受信方向の指令信号を出力する指令手段と、
前記受信アンテナを介して受信する複数のチャンネルを含む放送信号の中から、選択したチャンネルに対応する放送信号を抽出する選局手段と、
前記選局手段から受けたデジタルテレビ放送信号を信号処理する第１の処理手段と、
前記選局手段から受けたアナログテレビ放送信号を信号処理する第２の処理手段と、
テレビ放送に割当てられる複数のチャンネルの中から視聴可能なチャンネルを取得する制御手段とを備え、
前記制御手段は、
記憶手段と、
デジタルテレビ放送に割当てられる複数のチャンネルの中から１つのチャンネルを順次選択する第１の選択手段と、
前記第１の選択手段により選択されたチャンネルに対して、前記受信アンテナの受信方向の中から受信方向を順次選択する第２の選択手段と、
前記第２の選択手段により選択された各受信方向に対して、放送信号を受信できたか否かを前記第１の処理手段から受けた受信データ誤り率に基づいて判定する第１の判定手段と、
前記第１の判定手段において放送信号を受信可能と判定されたチャンネルおよび受信方向を前記記憶手段に格納する第１の格納手段と、
前記第１の選択手段においてすべてのチャンネルを選択するまで、前記第２の選択手段、前記第１の判定手段および前記第１の格納手段における各処理を繰返し実行させる第１の検索手段と、
アナログテレビ放送に割当てられる複数のチャンネルの中から１つのチャンネルを順次選択する第３の選択手段と、
前記第３の選択手段により選択されたチャンネルに対して、前記記憶手段から読出した受信方向の中から受信方向を順次選択する第４の選択手段と、
前記第４の選択手段により選択された各受信方向に対して、放送信号を受信できたか否かを前記第２の処理手段から受けた水平同期信号またはＡＧＣ制御信号に基づいて判定する第２の判定手段と、
前記第２の判定手段において放送信号を受信可能と判定されたチャンネルを前記記憶手段に格納する第２の格納手段と、
前記第３の選択手段においてすべてのチャンネルを選択するまで、前記第４の選択手段、前記第２の判定手段および前記第２の格納手段における各処理を繰返し実行させる第２の検索手段とを含む、放送受信装置。
【請求項２】
第１の放送と、前記第１の放送より受信可否判定の遅い第２の放送とを受信できる放送受信装置において、
指向性を切換えることにより放送信号の受信可能方向を変更できる受信アンテナに対して、選択した受信方向の指令信号を出力する指令手段と、
前記受信アンテナを介して受信する複数のチャンネルを含む放送信号の中から、選択したチャンネルに対応する放送信号を抽出する選局手段と、
前記選局手段から受けた前記第１の放送の信号処理を行う第１の処理手段と、
前記選局手段から受けた前記第２の放送の信号処理を行う第２の処理手段と、
第１および第２の放送に割当てられる複数のチャンネルの中から視聴可能なチャンネルを取得する制御手段とを備え、
前記制御手段は、
前記第１の処理手段から受けた情報に基づいて前記第１の放送を受信できたか否かを判定する第１の判定手段と、
前記第２の処理手段から受けた情報に基づいて前記第２の放送を受信できたか否かを判定する第２の判定手段と、
前記第１の放送に対して、受信可能なチャンネルおよび受信方向を決定する第１の取得手段と、
前記第１の取得手段において決定した受信可能な受信方向を用いて、第２の放送に対して、受信可能なチャンネルを決定する第２の取得手段とを含む、放送受信装置。
【請求項３】
前記第２の取得手段は、前記第２の放送に割当てられるチャンネルと前記第１の取得手段において決定した受信可能な受信方向との組合せの中から、前記第２の放送に割当てられるチャンネルを主にして検索を行い、前記第２の放送を受信可能なチャンネルを決定する手段を含む、請求項２に記載の放送受信装置。
【請求項４】
前記第２の取得手段は、前記第２の放送に割当てられるチャンネルと前記第１の取得手段において決定した受信可能な受信方向との組合せの中から、前記第１の取得手段において決定した受信可能な受信方向を主にして検索を行い、前記第２の放送を受信可能なチャンネルを決定する手段を含む、請求項２に記載の放送受信装置。
【請求項５】
前記第１の取得手段は、受信可能なチャンネルおよび受信方向を決定した場合に、チャンネルと対応付けることなく受信可能な受信方向のみを記憶する手段を含む、請求項２〜４のいずれか１項に記載の放送受信装置。
【請求項６】
前記第１の取得手段は、受信可能な各チャンネルに対して１つの受信方向を決定する手段を含む、請求項２〜５のいずれか１項に記載の放送受信装置。
【請求項７】
前記第１の放送は、デジタルテレビ放送であり、
前記第２の放送は、アナログテレビ放送である、請求項２〜６のいずれか１項に記載の放送受信装置。
【請求項８】
前記第１の判定手段は、前記第１の処理手段から受けた受信データ誤り率に基づいて放送信号を受信できたか否かを判定する、請求項７に記載の放送受信装置。
【請求項９】
前記第２の判定手段は、前記第２の処理手段から受けた水平同期信号またはＡＧＣ制御信号に基づいて放送信号を受信できたか否かを判定する、請求項７に記載の放送受信装置。
【請求項１０】
請求項１〜９のいずれか１項に記載の放送受信装置を備えたテレビ。
【発明の詳細な説明】
【技術分野】
【０００１】
この発明は放送受信装置およびそれを備えたテレビに関し、特に指向性の切換えが可能なアンテナを使用する放送受信装置およびそれを備えたテレビに関するものである。
【背景技術】
【０００２】
テレビ放送には、ＶＨＦ（Very High Frequency）およびＵＨＦ（Ultra High Frequency）の周波数帯域が割当てられている。一般的に、テレビ放送の信号受信には八木アンテナが用いられる。
【０００３】
八木アンテナは、反射器、放射器および導波器で構成されており、反射器の働きにより導波器側へ強い指向性を有し、利得も大きいといった長所がある。
【０００４】
良好な受信ができるように、八木アンテナは、その指向性が放送局の方向と一致するように設置される。一般的に、アンテナは家屋の屋根等に固定して設置されるので、一旦設置されてしまうと、その指向性を変更することは容易ではない。
【０００５】
そのため、複数の放送局が分散して存在している場合には、その指向性に応じた特定の方向にある放送局の放送信号しか受信できなかった。
【０００６】
そこで、指向性を複数種類に切換えて、分散して存在する各放送局からの電波を受信できるスマートアンテナが考案されている。
【０００７】
このスマートアンテナは、複数のアンテナ素子で構成され、各アンテナ素子を適当な振幅および位相により励振することで指向性を切換えることができる。
【０００８】
したがって、上述のスマートアンテナを用いることで、放送局が分散して存在している場合でも各放送局からの電波が受信可能となる。
【０００９】
特許文献１には、複数の八木アンテナに対して位相差給電を行うことで、指向性を変更できるアンテナが示されている。
【００１０】
また、特許文献２には、リモコンによるチャンネル選択によって、当該チャンネルに対応するようにアンテナの指向性を調整するアンテナ切換器が示されている。
【特許文献１】特開平１１−３３０８４０号公報
【特許文献２】特開２００１−１６８６２７号公報
【発明の開示】
【発明が解決しようとする課題】
【００１１】
放送受信装置は、ユーザフレンドリーの観点からテレビ放送に割当てられているチャンネル群の中から、実際に視聴可能なチャンネルを検索して自動割付を行う、いわゆるオートスキャン機能を備えている。
【００１２】
特に、デジタルテレビ放送とアナログテレビ放送とが同一チャンネル群において混在している状況では、各チャンネルについて、それぞれの放送信号が受信できるか否かを判断する必要があるため、実質的な検索対象チャンネルは倍増する。したがって、ユーザがいちいち検索するのは非常に手間であり、オートスキャン機能は非常に有効である。
【００１３】
しかし、上述のスマートアンテナを用いて放送信号を受信する場合には、チャンネルと受信方向の組合せを順次検索する必要がある。例えば、受信方向を１６方向に切換えできるスマートアンテナを用いた場合には、八木アンテナを用いた場合に比べて、最大１６倍もの検索時間が必要となる。そのため、選択可能な受信方向の増加に伴って、検索時間が増加するといった問題があった。
【００１４】
また、オートスキャン機能においては、受信可能なチャンネルのみを記憶させれば十分であるため、受信可能な各チャンネルに対する受信方向を記憶させることは、不必要に記憶領域が増大するといった問題があった。
【００１５】
一方、放送局では、同一の送信アンテナによりデジタルテレビ放送とアナログテレビ放送とを行っている場合も多い。そのため、デジタルテレビ放送とアナログテレビ放送において、受信可能である受信方向は同一となる場合が多かった。
【００１６】
そこで、この発明は、かかる問題を解決するためになされたものであり、その目的は、スマートアンテナを用いてデジタルテレビ放送とアナログテレビ放送を受信でき、かつオートスキャンを素早く完了できる放送受信装置を提供することである。
【課題を解決するための手段】
【００１７】
この発明によれば、指向性を切換えることにより放送信号の受信可能方向を変更できる受信アンテナに対して、選択した受信方向の指令信号を出力する指令手段と、受信アンテナを介して受信する複数のチャンネルを含む放送信号の中から、選択したチャンネルに対応する放送信号を抽出する選局手段と、選局手段から受けたデジタルテレビ放送信号を信号処理する第１の処理手段と、選局手段から受けたアナログテレビ放送信号を信号処理する第２の処理手段と、テレビ放送に割当てられる複数のチャンネルの中から視聴可能なチャンネルを取得する制御手段とを備える放送受信装置である。制御手段は、記憶手段と、デジタルテレビ放送に割当てられる複数のチャンネルの中から１つのチャンネルを順次選択する第１の選択手段と、第１の選択手段により選択されたチャンネルに対して、受信アンテナの受信方向の中から受信方向を順次選択する第２の選択手段と、第２の選択手段により選択された各受信方向に対して、放送信号を受信できたか否かを第１の処理手段から受けた受信データ誤り率に基づいて判定する第１の判定手段と、第１の判定手段において放送信号を受信可能と判定されたチャンネルおよび受信方向を記憶手段に格納する第１の格納手段と、第１の選択手段においてすべてのチャンネルを選択するまで、第２の選択手段、第１の判定手段および第１の格納手段における各処理を繰返し実行させる第１の検索手段と、アナログテレビ放送に割当てられる複数のチャンネルの中から１つのチャンネルを順次選択する第３の選択手段と、第３の選択手段により選択されたチャンネルに対して、記憶手段から読出した受信方向の中から受信方向を順次選択する第４の選択手段と、第４の選択手段により選択された各受信方向に対して、放送信号を受信できたか否かを第２の処理手段から受けた水平同期信号またはＡＧＣ制御信号に基づいて判定する第２の判定手段と、第２の判定手段において放送信号を受信可能と判定されたチャンネルを記憶手段に格納する第２の格納手段と、第３の選択手段においてすべてのチャンネルを選択するまで、第４の選択手段、第２の判定手段および第２の格納手段における各処理を繰返し実行させる第２の検索手段とを含む。
【００１８】
また、この発明によれば、第１の放送と、第１の放送より受信可否判定の遅い第２の放送とを受信できる放送受信装置であり、指向性を切換えることにより放送信号の受信可能方向を変更できる受信アンテナに対して、選択した受信方向の指令信号を出力する指令手段と、受信アンテナを介して受信する複数のチャンネルを含む放送信号の中から、選択したチャンネルに対応する放送信号を抽出する選局手段と、選局手段から受けた第１の放送の信号処理を行う第１の処理手段と、選局手段から受けた第２の放送の信号処理を行う第２の処理手段と、第１および第２の放送に割当てられる複数のチャンネルの中から視聴可能なチャンネルを取得する制御手段とを備える放送受信装置である。制御手段は、第１の処理手段から受けた情報に基づいて第１の放送を受信できたか否かを判定する第１の判定手段と、第２の処理手段から受けた情報に基づいて第２の放送を受信できたか否かを判定する第２の判定手段と、第１の放送に対して、受信可能なチャンネルおよび受信方向を決定する第１の取得手段と、第１の取得手段において決定した受信可能な受信方向を用いて、第２の放送に対して、受信可能なチャンネルを決定する第２の取得手段とを含む。
【００１９】
好ましくは、第２の取得手段は、前記第２の放送に割当てられるチャンネルと前記第１の取得手段において決定した受信可能な受信方向との組合せの中から、前記第２の放送に割当てられるチャンネルを主にして検索を行い、前記第２の放送を受信可能なチャンネルを決定する手段を含む。
【００２０】
好ましくは、第２の取得手段は、前記第２の放送に割当てられるチャンネルと前記第１の取得手段において決定した受信可能な受信方向との組合せの中から、前記第１の取得手段において決定した受信可能な受信方向を主にして検索を行い、前記第２の放送を受信可能なチャンネルを決定する手段を含む。
【００２１】
好ましくは、第１の取得手段は、受信可能なチャンネルおよび受信方向を決定した場合に、チャンネルと対応付けることなく受信可能な受信方向のみを記憶する手段を含む。
【００２２】
好ましくは、第１の取得手段は、受信可能な各チャンネルに対して１つの受信方向を決定する手段を含む。
【００２３】
好ましくは、第１の放送は、デジタルテレビ放送であり、第２の放送は、アナログテレビ放送である。
【００２４】
好ましくは、第１の判定手段は、前記第１の処理手段から受けた受信データ誤り率に基づいて放送信号を受信できたか否かを判定する。
【００２５】
好ましくは、第２の判定手段は、前記第２の処理手段から受けた水平同期信号またはＡＧＣ制御信号に基づいて放送信号を受信できたか否かを判定する。
【００２６】
また、この発明によれば、上述の放送受信装置を備えたテレビである。
【発明の効果】
【００２７】
この発明によれば、受信判定を高速に行うことができるデジタルテレビ放送についての検索結果を用いて、アナログテレビ放送について検索を行うので、不要な受信方向検索を行う必要がなく素早くオートスキャンができる。
【００２８】
また、この発明によれば、冗長な受信方向の情報を記憶する必要がないので、従来の放送受信装置と同程度の記憶領域で済む。
【発明を実施するための最良の形態】
【００２９】
この発明の実施の形態について、図面を参照しながら詳細に説明する。なお、図中の同一または相当部分については、同一符号を付してその説明は繰返さない。
【００３０】
［実施の形態１］
図１は、この発明の実施の形態１に従う放送受信装置の概略構成図である。
【００３１】
図１を参照して、この発明の実施の形態１に従う放送受信装置１は、スマートアンテナ３０から放送信号を受信し、スマートアンテナ３０に対して受信方向切換信号を出力する。また、放送受信装置１は、テレビ４０に対して映像信号および音声信号を出力する。さらに、放送受信装置１は、リモコン４２から指令信号を受信する。
【００３２】
スマートアンテナ３０は、放送受信装置１から受信方向切換信号を受けて、各アンテナ素子に対する励振を変化させて指向性を切換える。
【００３３】
テレビ４０およびリモコン４２は、周知であるので詳細な説明は省略する。
【００３４】
放送受信装置１は、制御部１０と、チューナ１６と、デジタルデコーダ１８と、アナログデコーダ２０と、ＭＰＥＧデコーダ２２と、受信方向切換部２４と、リモコン受信部２６とからなる。
【００３５】
制御部１０は、プログラムを実行するＣＰＵ（Central Processing Unit）１０ａと、実行されるプログラム、プログラム実行中のデータ、およびプログラム実行結果のデータを記憶するメモリ１０ｂとからなる。
【００３６】
チューナ１６は、受信した放送信号の中から、制御部１０からの指令に応じて選択されたチャンネルに対応する放送信号を抽出して、デジタルデコーダ１８およびアナログデコーダ２０へ出力する。
【００３７】
デジタルデコーダ１８は、チューナ１６から放送信号を受けて、映像および音声の信号であるＭＰＥＧ信号に復号し、そのＭＰＥＧ信号をＭＰＥＧデコーダ２２へ出力する。
【００３８】
ここで、デジタルテレビ放送信号は、リード・ソロモン符号および畳み込み符号で符号化されて送信される。そのため、デジタルデコーダ１８は、上述の復号処理において誤り訂正ができる。この誤り訂正の処理過程において、デジタルデコーダ１８は、受信した放送信号の受信データ誤り率を演算し、その受信データ誤り率を制御部１０へ出力する。このとき、デジタルデコーダ１８は、受信した放送信号に含まれる所定のデータ数毎に誤り訂正を行うので、受信開始から１フレーム（１／３０秒）以内で受信データ誤り率の演算ができる。
【００３９】
なお、デジタルテレビ放送には、日本のＩＳＤＢ−Ｔ（Integrated Services Digital Broadcasting for Terrestrial）方式の他に、米国のＡＴＳＣ（Advanced Television Systems Committee）方式およびヨーロッパのＤＶＢ−Ｔ（Digital Video Broadcasting for Terrestrial）がある。いずれの方式においても、放送信号は符号化されて送信されるため、誤り訂正が可能であり、その処理過程において受信データ誤り率が演算できる。したがって、この発明の実施の形態１におけるデジタルデコーダ１８は、上述のいずれの方式を用いてもよい。
【００４０】
アナログデコーダ２０は、チューナ１６から放送信号を受けて、映像および音声の信号へ復号した後に、デジタル化した映像音声信号をＭＰＥＧデコーダ２２へ出力する。また、アナログデコーダ２０は、水平同期信号の捕捉の可否を制御部１０へ出力する。
【００４１】
ここで、アナログテレビ放送信号には、走査線の水平走査および垂直走査を制御するために、水平同期信号および垂直同期信号が含まれている。アナログデコーダ２０は、映像信号の復号を行うために、上述の水平同期信号および垂直同期信号を捕捉する必要がある。
【００４２】
なお、水平同期信号は、垂直同期信号に対して十分に周波数が高い。そのため、水平同期信号は、垂直同期信号に比較して、ノイズ等の影響を受けやすい。つまり、水平同期信号を捕捉できたか否かで受信状態を判断することができる。
【００４３】
水平同期信号を捕捉するにあたり、アナログデコーダ２０は、受信した放送信号に対して、雑音除去処理、周波数分離処理、同期信号分離処理および整形増幅処理等を行う。それゆえ、受信開始から水平同期信号の捕捉までには、上述のデジタルデコーダ１８における受信データ誤り率の演算に比較して、多くの時間を要する。
【００４４】
なお、アナログテレビ放送は、日本や米国等のＮＴＳＣ（National System Committee）方式の他に、ドイツやイギリス等のＰＡＬ（Phase Alternation by Line）方式およびフランス等のＳＥＣＡＭ（Sequentiel Couleur a Memoire）方式があるが、いずれの方式においても放送信号に水平同期信号が含まれているため、水平同期信号の捕捉の可否により受信状態を判断できる。
【００４５】
したがって、この発明の実施の形態１におけるアナログデコーダ２０は、上述のいずれの方式を用いてもよい。
【００４６】
ＭＰＥＧデコーダ２２は、制御部１０からの指令に応じて選択した、デジタルデコーダ１８またはアナログデコーダ２０から受けた信号を映像信号および音声信号に復号して外部へ出力する。
【００４７】
受信方向切換部２４は、制御部１０からの指令に応じて、受信方向切換信号をスマートアンテナ３０へ出力する。
【００４８】
リモコン受信部２６は、リモコン４２からの指令を受信して制御部１０へ出力する。ユーザは、所望の動作を行わせるためリモコン４２を用いて、指令を送信する。
【００４９】
実施の形態１では、スマートアンテナ３０は、指向性を切換えることにより水平面に対して１６分割された各方向に受信方向を変更できるとして説明する。
【００５０】
図２は、この発明の実施の形態１に従うスマートアンテナ３０の受信方向切換図である。簡単化のため、図２に示すように時計回りに１，２，・・・，１６と各受信方向に番号付けを行う。
【００５１】
図３は、この発明の実施の形態１に従うオートスキャンを実行するプログラムのフローチャートである。
【００５２】
図３を参照して、制御部１０は、最初の電源投入か否かを判断する（ステップＳ１０）。
【００５３】
最初の電源投入ではない場合（ステップＳ１０においてＮＯの場合）には、制御部１０は、ユーザからのオートスキャン指令を受付けたか否かを判断する（ステップＳ１２）。
【００５４】
オートスキャン指令を受付けない場合（ステップＳ１２においてＮＯの場合）には、制御部１０は、指令を受付けるまで待機する。
【００５５】
最初の電源投入である場合（ステップＳ１０においてＹＥＳの場合）または、ユーザからのオートスキャン指令を受付けた場合（ステップＳ１２においてＹＥＳの場合）には、制御部１０は、デジタルテレビ放送に割当てられているチャンネルの中から先頭のチャンネルを選択する（ステップＳ１４）。
【００５６】
次に、制御部１０は、先頭の受信方向を選択する（ステップＳ１６）。すなわち、制御部１０は、図２に示す受信方向「１」を選択する。
【００５７】
受信方向切換部２４は、受信方向「１」への切換信号をスマートアンテナ３０へ出力する。スマートアンテナ３０は、受信方向切換部２４から受信方向切換信号を受けて、各アンテナ素子に対する励振を変化させて指向性を切換える。
【００５８】
また、チューナ１６は、スマートアンテナ３０から受信した放送信号の中から、制御部１０からの指令に応じて選択された先頭のチャンネルに対応する放送信号を抽出して、デジタルデコーダ１８へ出力する。デジタルデコーダ１８は、チューナ１６から放送信号を受けて、ＭＰＥＧ信号に復号する。また、デジタルデコーダ１８は、受信データ誤り率の演算を行い、その受信データ誤り率を制御部１０へ出力する。
【００５９】
制御部１０は、受信可否を判断するため、受信データ誤り率が規定値以下か否かを判断する（ステップＳ１８）。実施の形態１においては、一例として規定値を１０％として、受信データ誤り率が１０％以下であれば、受信可能と判断する。
【００６０】
受信データ誤り率が規定値を超えている場合（ステップＳ１８においてＮＯの場合）には、制御部１０は、最後の受信方向が選択されているか否かを判断する（ステップＳ２０）。すなわち、制御部１０は、図２に示す受信方向「１６」を選択しているか否かを判断する。
【００６１】
最後の受信方向が選択されていない場合（ステップＳ２０においてＮＯの場合）には、制御部１０は、次の受信方向を選択する（ステップＳ２２）。
【００６２】
以下、上述したステップＳ１８，Ｓ２０，Ｓ２２を、ステップＳ１８において受信データ誤り率が規定値以下となるか、またはステップＳ２０において最後の受信方向が選択されるまで繰返す。
【００６３】
受信データ誤り率が規定値以下の場合（ステップＳ１８においてＹＥＳの場合）には、制御部１０は、受信可能と判断して、選択しているチャンネル番号を格納（ステップＳ２４）する。さらに、制御部１０は、選択している受信方向番号を格納する（ステップＳ２６）。
【００６４】
受信方向番号が格納（ステップＳ２６）され、または最後の受信方向が選択された場合（ステップＳ２０においてＹＥＳの場合）には、制御部１０は、最後のデジタルチャンネルが選択されているか否かを判断する（ステップＳ２８）。
【００６５】
最後のデジタルチャンネルが選択されていない場合（ステップＳ２８においてＮＯの場合）には、制御部１０は、次のデジタルチャンネルを選択する（ステップＳ３０）。
【００６６】
以下、上述したステップＳ１６，Ｓ１８，Ｓ２０，Ｓ２２，Ｓ２４，Ｓ２６，Ｓ２８，Ｓ３０を、ステップＳ２８において最後のデジタルチャンネルが選択されるまで繰返す。
【００６７】
最後のデジタルチャンネルが選択された場合（ステップＳ２８においてＹＥＳの場合）には、制御部１０は、格納した受信方向番号を読出し、受信方向候補を作成する（ステップＳ３２）。
【００６８】
制御部１０は、アナログテレビ放送に割当てられているチャンネルの中から先頭のチャンネルを選択する（ステップＳ３４）。
【００６９】
次に、制御部１０は、作成した受信方向候補の中から先頭の受信方向を選択する（ステップＳ３６）。
【００７０】
受信方向切換部２４は、受信方向の切換信号をスマートアンテナ３０へ出力する。スマートアンテナ３０は、受信方向切換部２４から受信方向切換信号を受けて、各アンテナ素子に対する励振を変化させて指向性を切換える。
【００７１】
また、チューナ１６は、スマートアンテナ３０から受信した放送信号の中から、制御部１０からの指令に応じて選択された先頭のチャンネルに対応する放送信号を抽出して、アナログデコーダ２０へ出力する。アナログデコーダ２０は、チューナ１６から放送信号を受けて、映像および音声の信号へ復号する。また、アナログデコーダ２０は、水平同期信号の捕捉の可否を制御部１０へ出力する。
【００７２】
さらに、制御部１０は、水平同期信号を捕捉できるか否か判断する（ステップＳ３８）。制御部１０は、水平同期信号の捕捉がされていれば、受信可能と判断する。
【００７３】
水平同期信号を捕捉できない場合（ステップＳ３８においてＮＯの場合）には、制御部１０は、受信方向候補の最後の受信方向が選択されているか否かを判断する（ステップＳ４０）。
【００７４】
受信方向候補の最後の受信方向が選択されていない場合（ステップＳ４０においてＮＯの場合）には、制御部１０は、受信方向候補の次の受信方向を選択する（ステップＳ４２）。
【００７５】
以下、上述したステップＳ３８，Ｓ４０，Ｓ４２を、ステップＳ３８において水平同期信号が捕捉されるか、またはステップＳ４０において受信方向候補の最後の受信方向が選択されるまで繰返す。
【００７６】
水平同期信号が捕捉される場合（ステップＳ３８においてＹＥＳの場合）には、制御部１０は、選択しているチャンネル番号を格納する（ステップＳ４４）。
【００７７】
チャンネル番号が格納（ステップＳ４４）され、または受信方向候補の最後の受信方向が選択された場合（ステップＳ４０においてＹＥＳの場合）には、制御部１０は、最後のアナログチャンネルが選択されているか否かを判断する（ステップＳ４６）。
【００７８】
最後のアナログチャンネルが選択されていない場合（ステップＳ４６においてＮＯの場合）には、制御部１０は、次のアナログチャンネルを選択する（ステップＳ４８）。
【００７９】
以下、上述したステップＳ３６，Ｓ３８，Ｓ４０，Ｓ４２，Ｓ４４，Ｓ４６，Ｓ４８を、ステップＳ４６において最後のアナログチャンネルが選択されるまで繰返す。
【００８０】
制御部１０は、上述の処理を行うことで、視聴可能なチャンネルを取得することができる。
【００８１】
次に、複数のチャンネルにおいてテレビ放送が行われる状況での具体的なオートスキャンの動作を説明する。
【００８２】
図４は、テレビ放送のチャンネルプランの一例を示す図である。
【００８３】
図４（ａ）は、割当てチャンネルに対する使用チャンネルの一例を示す図である。
【００８４】
図４（ｂ）は、各放送局の使用チャンネルおよび受信方向（ある受信地点における方向）の一例を示す図である。
【００８５】
図４（ａ）を参照して、デジタルテレビ放送は、ＵＨＦ帯の１３チャンネルから６２チャンネルに割当てられている。一方、アナログテレビ放送は、ＶＨＦ帯の１チャンネルから１２チャンネルおよびＵＨＦ帯の１３チャンネルから６２チャンネルに割当てられている。すなわち、ＵＨＦ帯では、デジタルテレビ放送とアナログテレビ放送が混在して放送されている。
【００８６】
図４（ｂ）を参照して、放送局Ａ，ＢおよびＣが、それぞれデジタルテレビ放送およびアナログテレビ放送を行っている場合を説明する。
【００８７】
図５は、この発明の実施の形態１に従うオートスキャン結果のうちチャンネル番号を格納する記憶領域の図である。
【００８８】
図５（ａ）は、デジタルテレビ放送の割付領域に「１６」チャンネルが格納された状態の図である。
【００８９】
図５（ｂ）は、さらにデジタルテレビ放送の割付領域に「１８」および「２０」チャンネルが格納された状態の図である。
【００９０】
図５（ｃ）は、さらにアナログテレビ放送の割付領域に「２」,「４１」および「４３」チャンネルが格納された状態の図である。
【００９１】
図６は、この発明の実施の形態１に従うオートスキャン結果のうち受信方向番号を格納する記憶領域の図である。
【００９２】
図６（ａ）は、オートスキャン実行前の初期状態の図である。
【００９３】
図６（ｂ）は、受信方向「１０」が格納された状態の図である。
【００９４】
図６（ｃ）は、受信方向「３」および「５」がさらに格納された状態の図である。
【００９５】
まず、制御部１０は、デジタルテレビ放送について割当てられている１３〜６２チャンネルの中から、受信可能なチャンネルを検索する（ステップＳ１６，Ｓ１８，Ｓ２０，Ｓ２２，Ｓ２４，Ｓ２６，Ｓ２８，Ｓ３０）。
【００９６】
図４（ｂ）を参照して、制御部１０は、放送局Ａのデジタルテレビ放送「１６」チャンネルを受信方向「１０」で受信可能と判断する（ステップＳ１８）と、図５（ａ）に示すようにデジタルテレビ放送の割付領域に「１６」チャンネルを格納する（ステップＳ２４）。
【００９７】
さらに、制御部１０は、図６（ｂ）に示すように受信方向番号に対応した記憶領域に「１」を格納する（ステップＳ２６）。この記憶領域は２値をもち、「０」が受信不可および「１」が受信可能として記憶される。
【００９８】
以下同様に、制御部１０は、放送局Ｂのデジタルテレビ放送「１８」チャンネルを受信方向「５」で受信可能と判断し、さらに放送局Ｃのデジタルテレビ放送「２０」チャンネルを受信方向「３」で受信可能と判断する。すると、制御部１０は、図５（ｂ）に示すようにデジタルテレビ放送の割付領域に「１８」および「２０」チャンネルを格納し、図６（ｃ）に示すように受信方向番号の記憶領域に受信方向「５」および「３」を格納する。
【００９９】
次に、制御部１０は、図６（ｃ）に示す記憶領域から受信可能である受信方向番号を読み出して、受信方向「３」,「５」および「１０」を受信方向候補とする（ステップＳ３２）。
【０１００】
さらに、制御部１０は、アナログテレビ放送について割当てられている１〜６２チャンネルの中から、デジタルテレビ放送に対して検出された受信方向候補を用いて、受信可能なチャンネルを検索する（Ｓ３６，Ｓ３８，Ｓ４０，Ｓ４２，Ｓ４４，Ｓ４６，Ｓ４８）。
【０１０１】
図４（ｂ）を参照して、制御部１０は，放送局Ｂのアナログテレビ放送「２」チャンネルを受信方向「５」で受信可能と判断する。
【０１０２】
続いて、制御部１０は、放送局Ａのアナログテレビ放送「４１」チャンネルを受信方向「１０」で受信可能と判断し、さらに放送局Ｃのアナログテレビ放送「４３」チャンネルを受信方向「３」で受信可能と判断する。
【０１０３】
よって、制御部１０は、図５（ｃ）に示すようにアナログテレビ放送の割付領域に「２」，「４１」および「４３」チャンネルのデータを格納する。
【０１０４】
上述のように、制御部１０は、デジタルテレビ信号およびアナログテレビ信号について視聴可能チャンネルを取得できる。
【０１０５】
これにより、受信判定を高速に行うことができるデジタルテレビ放送について先に検索を行い、その検索結果の受信方向を用いて、アナログテレビ放送について検索を行うので、受信方向検索の効率がよくオートスキャンの速度を向上できる。
【０１０６】
また、受信可能な受信方向の情報だけをそれぞれ２値に対応付けて記憶できるので、記憶領域を少なくできる。
【０１０７】
［実施の形態２］
上述の実施の形態１においては、制御部１０は、各チャンネルに対して受信方向を順次選択して受信可否を判断する。
【０１０８】
一方、実施の形態２では、アナログチャンネルの検索処理において、制御部１０は、受信方向候補の各受信方向に対してチャンネルを順次選択して受信可否を判断する。
【０１０９】
図７は、この発明の実施の形態２に従うオートスキャンを実行するプログラムのフローチャートである。
【０１１０】
制御部１０は、図１に示すステップＳ１０〜Ｓ３２と同様の処理を行い、デジタルテレビ放送について受信可能なチャンネルおよび受信方向を格納して、格納した受信方向から受信方向候補を作成する（ステップＳ５０）。
【０１１１】
まず、制御部１０は、作成した受信方向候補の中から先頭の受信方向を選択する（ステップＳ５２）。
【０１１２】
次に、制御部１０は、アナログテレビ放送に割当てられているチャンネルの中から先頭のチャンネルを選択する（ステップＳ５４）。
【０１１３】
受信方向切換部２４は、受信方向の切換信号をスマートアンテナ３０へ出力する。スマートアンテナ３０は、受信方向切換部２４から受信方向切換信号を受けて、各アンテナ素子に対する励振を変化させて指向性を切換える。
【０１１４】
また、チューナ１６は、スマートアンテナ３０から受信した放送信号の中から、制御部１０からの指令に応じて選択された先頭のチャンネルに対応する放送信号を抽出して、アナログデコーダ２０へ出力する。アナログデコーダ２０は、チューナ１６から放送信号を受けて、映像および音声の信号へ復号する。また、アナログデコーダ２０は、水平同期信号の捕捉の可否を制御部１０へ出力する。
【０１１５】
さらに、制御部１０は、水平同期信号を捕捉できるか否か判断する（ステップＳ５６）。制御部１０は、水平同期信号の捕捉がされていれば、受信可能と判断する。
【０１１６】
水平同期信号を捕捉できない場合（ステップＳ５６においてＮＯの場合）には、制御部１０は、最後のアナログチャンネルが選択されているか否かを判断する（ステップＳ５８）。
【０１１７】
最後のアナログチャンネルが選択されていない場合（ステップＳ５８においてＮＯの場合）には、制御部１０は、次のアナログチャンネルを選択する（ステップＳ６０）。
【０１１８】
以下、上述したステップＳ５６，Ｓ５８，Ｓ６０を、ステップＳ５６において水平同期信号が捕捉されるか、またはステップＳ５８において最後のアナログチャンネルが選択されるまで繰返す。
【０１１９】
水平同期信号が捕捉される場合（ステップＳ５６においてＹＥＳの場合）には、制御部１０は、選択しているチャンネル番号を格納する（ステップＳ６２）。
【０１２０】
チャンネル番号が格納（ステップＳ６２）され、または最後のアナログチャンネルが選択された場合（ステップＳ５８においてＹＥＳの場合）には、制御部１０は、受信方向候補の最後の受信方向が選択されているか否かを判断する（ステップＳ６４）。
【０１２１】
受信方向候補の最後の受信方向が選択されていない場合（ステップＳ６４においてＮＯの場合）には、制御部１０は、受信方向候補の次の受信方向を選択する（ステップＳ６６）。
【０１２２】
以下、上述したステップＳ５４，Ｓ５６，Ｓ５８，Ｓ６０，Ｓ６２，Ｓ６４，Ｓ６６を、ステップＳ６４において受信方向候補の最後の受信方向が選択されるまで繰返す。
【０１２３】
制御部１０は、上述の処理を行うことで、視聴可能なチャンネルを取得することができる。
【０１２４】
これにより、受信判定を高速に行うことができるデジタルテレビ放送について先に検索を行い、その検索結果の受信方向を用いて、アナログテレビ放送について検索を行うので、受信方向検索の効率がよくオートスキャンの速度を向上できる。
【０１２５】
また、外部のスマートアンテナに対する切換指令の頻度が減少して、内部のチューナ１６での切換動作が主となるので、指向性の切換動作が遅いスマートアンテナを用いる場合には、切換時間を短縮できるためオートスキャンの速度を向上できる。
【０１２６】
［実施の形態３］
上述の実施の形態１および２においては、水平同期信号の捕捉の可否によりアナログテレビ放送の受信可否が判断される。
【０１２７】
一方、実施の形態３においては、ＡＧＣ（Auto Gain Control）回路の制御出力によりアナログテレビ放送の受信可否が判断される場合について説明する。
【０１２８】
アナログテレビ放送の受信可否が判断される方法を除いては、上述の実施の形態１および２と同様であるので、詳細な説明は省略する。
【０１２９】
ＡＧＣ回路は、アナログテレビ放送の受信した放送信号の強弱による映像のコントラストの変化を軽減するために、フィードバック制御により映像検波出力を一定のレベルに保つ回路である。
【０１３０】
図８は、この発明の実施の形態３に従うＡＧＣ回路の概略構成図である。
【０１３１】
図８を参照して、ＡＧＣ回路５０は、アナログデコーダ６０に含まれる。また、ＡＧＣ回路５０は、増幅回路５２と、検波回路５４と、ＡＧＣ電圧検出回路５６と、ＡＧＣ制御回路５８とからなる。
【０１３２】
増幅回路５２は、チューナ１６から受けたアナログテレビ放送信号をＡＧＣ制御回路５８からの増幅指令に応じて増幅して、検波回路５４へ出力する。
【０１３３】
検波回路５４は、増幅回路５２から受けたアナログテレビ放送信号から必要な周波数成分だけを抽出して信号出力する。
【０１３４】
ＡＧＣ電圧検出回路５６は、検波回路５４の出力信号の電圧レベルを検出して、ＡＧＣ制御回路５８へ出力する。
【０１３５】
ＡＧＣ制御回路５８は、ＡＧＣ電圧検出回路５６から受けた電圧レベルが基準レベルとなるように、増幅回路５２に対して増幅指令を出力する。
【０１３６】
ここで、ＡＧＣ制御回路５８は、検波回路５４の出力信号の電圧レベルが低いほど増幅指令は大きくなる。よって、受信したアナログテレビ放送信号が弱い場合、すなわち受信状態が悪い場合には、増幅指令は大きくなる。
【０１３７】
したがって、ＡＧＣ制御回路５８の増幅指令値により信号受信の可否が判断できる。
【０１３８】
実施の形態３における制御部１０は、ＡＧＣ制御回路５８から受けた増幅指令値に応じて受信可否を判断する。一例として、ＡＧＣ制御回路５８から増幅回路５２への増幅指令の最大値を１００％とした場合に、増幅指令値が６５％以下であれば受信可能と判断する。
【０１３９】
これにより、ＡＧＣ回路の制御出力を用いることで、アナログテレビ放送の受信状態がわかるため、アナログテレビ放送の受信可否の判断を柔軟に行える。
【０１４０】
［実施の形態４］
上述の実施の形態１および２においては、デジタルテレビ放送の各チャンネルに対して受信可能と判断された最初の受信方向を記憶領域に格納する。
【０１４１】
一方、実施の形態４においては、同一のチャンネルに対して受信可能と判断された受信方向が複数ある場合について説明する。
【０１４２】
受信環境によっては、直接波と反射波により複数の受信方向において受信可能と判断される場合がある。反射波の受信方向は実際の放送局のある方向とは異なるため、当該受信方向は誤ったものである。
【０１４３】
したがって、検索効率を上げるためには、受信状態の最も良好な受信方向を選択する必要がある。
【０１４４】
そこで、実施の形態４の制御部１０は、デジタルテレビ放送の各チャンネルに対して、受信方向を順次選択し、受信可能と判断された受信方向についての受信データ誤り率を一旦記憶領域に格納する。
【０１４５】
次に、制御部１０は、格納された受信データ誤り率の中から最も低いものを抽出して、それに対応する受信方向を当該チャンネルの受信方向として格納する。
【０１４６】
これにより、受信データ誤り率が最も低い受信方向を決定するので、反射波による誤った受信方向の取得がなく、アナログチャンネルの検索効率の低下を抑制して、オートスキャンの速度を向上できる。
【０１４７】
なお、上述の実施の形態１〜４においては、デジタルテレビ放送とアナログテレビ放送とについて説明したが、受信可否の判定速度が異なる２つの放送を受信する放送受信装置およびそれを備えたテレビであれば同様に適用できることは言うまでもない。
【０１４８】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【図面の簡単な説明】
【０１４９】
【図１】この発明の実施の形態１に従う放送受信装置の概略構成図である。
【図２】この発明の実施の形態１に従うスマートアンテナ３０の受信方向切換図である。
【図３】この発明の実施の形態１に従うオートスキャンを実行するプログラムのフローチャートである。
【図４】テレビ放送のチャンネルプランの一例を示す図である。
【図５】この発明の実施の形態１に従うオートスキャン結果のうちチャンネル番号を格納する記憶領域の図である。
【図６】この発明の実施の形態１に従うオートスキャン結果のうち受信方向番号を格納する記憶領域の図である。
【図７】この発明の実施の形態２に従うオートスキャンを実行するプログラムのフローチャートである。
【図８】この発明の実施の形態３に従うＡＧＣ回路の概略構成図である。
【符号の説明】
【０１５０】
１  放送受信装置、１０  制御部、１０ａ  ＣＰＵ、１０ｂ  メモリ、１６  チューナ、１８  デジタルデコーダ、２０，６０  アナログデコーダ、２２  ＭＰＥＧデコーダ、２４  受信方向切換部、２６  リモコン受信部、３０  スマートアンテナ、４０  テレビ、４２  リモコン、５０  ＡＧＣ回路、５２  増幅回路、５４  検波回路、５６  ＡＧＣ電圧検出回路、５８  ＡＧＣ制御回路。
【図１】
2006042181.tif 000003
【図２】
2006042181.tif 000004
【図３】
2006042181.tif 000005
【図４】
2006042181.tif 000006
【図５】
2006042181.tif 000007
【図６】
2006042181.tif 000008
【図７】
2006042181.tif 000009
【図８】
2006042181.tif 000010